(57)【特許請求の範囲】
【請求項１】
任意な曲率を有するフレキシブル光学表示パネルを保持することが可能な所定の曲率をもった保持部材と、
前記保持部材を移動させるための前記保持部材と同一の曲率を有し、且つ前記保持部材を移動させるための台部材とからなり、
前記保持部材は、所定の曲率の表面を有する矩形の板状であり、
前記フレキシブル光学表示パネルを所定の曲率の表面に保持可能である保持部と、
前記保持部に形成された光学測定するための開口部と、
前記保持部の両端で構成された移動するためのスライド部と、を有し、
前記台部材は、
置くことを可能にする台部と、
前記台部に形成された光学測定するための開口部と、
前記台部に設けられた前記保持部材のスライド部を移動可能にするガイド部と、を有し、
前記フレキシブル光学表示パネルを、前記保持部材の開口部に位置させて、保持部の所定の曲率の表面に保持させ、
前記フレキシブル光学表示パネルの曲率を、前記保持部材の曲率に一致させた状態とし、
前記保持部材のスライド部と前記台部材のガイド部とにより前記台部材の曲率に沿って前記保持部材を移動させ、前記保持部材の移動に伴い、前記フレキシブル光学表示パネルを移動して光学測定するいずれの測定においても、
前記フレキシブル光学表示パネルの測定位置を、法線方向から光学測定可能にすることを特徴とするフレキシブル光学測定用治具。
【請求項２】
前記台部材は、前記保持部材の移動量を表示する目盛と、前記フレキシブル光学表示パネルの測定位置を表示する測定印と、を有することを特徴とする請求項１に記載のフレキシブル光学測定用治具。
【請求項３】
前記台部材は、前記フレキシブル光学表示パネルを測定位置で固定させるために前記保持部材を締付ける締付部材を有することを特徴とする請求項１に記載のフレキシブル光学測定用治具。
【発明の詳細な説明】
【技術分野】
【０００１】
この発明は、任意な曲率を有するフレキシブル光学表示パネルの光学特性を測定することができるフレキシブル光学測定用治具に関する。
【背景技術】
【０００２】
近年、電子看板（デジタルサイネージ）が注目を集めており、どの形状にも設置可能なフレキシブル光学表示パネルの開発が進んでいる。このようなフレキシブル光学表示パネルについて光学特性の測定を行う必要があり、従来からディスプレイ装置の製造工程において、ディスプレイ装置の表示部の輝度、色度等の物理量を測定することで、表示部の光学特性を測定することが行われている（特許文献１）。
【先行技術文献】
【特許文献】
【０００３】
【特許文献１】特開２０１０−９１５０９号公報
【発明の概要】
【発明が解決しようとする課題】
【０００４】
しかしながら、従来の光学測定装置は、フラットパネルを測定することを前提とした構造になっており、フレキシブル光学表示パネルを曲げて測定すると、端部と中央部では焦点位置が異なり測定スポット径が変化することや測定面に対して斜めから評価することになり、正確な値が得られなかった。
【０００５】
この発明は、かかる実情に鑑みてなされたもので、任意な曲率を有するフレキシブル光学表示パネルのいずれの測定においても、常に測定位置を法線方向から測定できるフレキシブル光学測定用治具を提供することを目的とする。  
【課題を解決するための手段】
【０００６】
前記課題を解決し、かつ目的を達成するために、この発明は、以下のように構成した。
【０００７】
請求項１に記載の発明は、任意な曲率を有するフレキシブル光学表示パネルを保持することが可能な所定の曲率をもった保持部材と、
前記保持部材を移動させるための前記保持部材と同一の曲率を有し、且つ前記保持部材を移動させるための台部材とからなり、
前記保持部材は、所定の曲率の表面を有する矩形の板状であり、
前記フレキシブル光学表示パネルを所定の曲率の表面に保持可能である保持部と、
前記保持部に形成された光学測定するための開口部と、
前記保持部の両端で構成された移動するためのスライド部と、を有し、
前記台部材は、
置くことを可能にする台部と、
前記台部に形成された光学測定するための開口部と、
前記台部に設けられた前記保持部材のスライド部を移動可能にするガイド部と、を有し、
前記フレキシブル光学表示パネルを、前記保持部材の開口部に位置させて、保持部の所定の曲率の表面に保持させ、
前記フレキシブル光学表示パネルの曲率を、前記保持部材の曲率に一致させた状態とし、
前記保持部材のスライド部と前記台部材のガイド部とにより前記台部材の曲率に沿って前記保持部材を移動させ、前記保持部材の移動に伴い、前記フレキシブル光学表示パネルを移動して光学測定するいずれの測定においても、
前記フレキシブル光学表示パネルの測定位置を、法線方向から光学測定可能にすることを特徴とするフレキシブル光学測定用治具である。
【００１０】
請求項２に記載の発明は、前記台部材は、前記保持部材の移動量を表示する目盛と、前記フレキシブル光学表示パネルの測定位置を表示する測定印と、を有することを特徴とする請求項１に記載のフレキシブル光学測定用治具である。
【００１１】
請求項３に記載の発明は、前記台部材は、前記フレキシブル光学表示パネルを測定位置で固定させるために前記保持部材を締付ける締付部材を有することを特徴とする請求項１に記載のフレキシブル光学測定用治具である。
【発明の効果】
【００１２】
前記構成により、この発明は、以下のような効果を有する。
【００１３】
請求項１乃至請求項３に記載の発明では、台部材は、保持部材と同一の曲率を有し、且つ保持部材を移動させ、保持部材が台部材により移動することで、フレキシブル光学表示パネルを移動して測定するいずれの測定においても、測定位置を法線方向から測定可能であり、焦点位置が異なり、測定スポット径が変化することや測定面に対して斜めから評価することがなく、正確な測定値が得られ、精度良くフレキシブル光学表示パネルを評価できる。
【図面の簡単な説明】
【００１４】
【図１】フレキシブル光学測定用治具の斜視図である。
【図２】保持部材の斜視図である。
【図３】保持部材にフレキシブル光学表示パネルを固定した状態の斜視図である。
【図４】台部材の斜視図である。
【図５】締付部材の配置位置を示す断面図である
【図６】フレキシブル光学測定用治具と光学測定装置における測定位置関係を示す図である。
【図７】光学測定の概念図である。
【発明を実施するための形態】
【００１５】
以下、この発明のフレキシブル光学測定用治具の実施の形態について説明する。この発明の実施の形態は、発明の最も好ましい形態を示すものであり、この発明はこれに限定されない。
（フレキシブル光学測定用治具の構成）
図１はフレキシブル光学測定用治具の斜視図、図２は保持部材の斜視図、図３は保持部材にフレキシブル光学表示パネルを固定した状態の斜視図、図４は台部材の斜視図、図５は締付部材の配置位置を示す断面図である。
【００１６】
この実施の形態のフレキシブル光学測定用治具１は、フレキシブル光学表示パネル２の製造工程において、フレキシブル光学表示パネル２の表示部の輝度、色度、セルギャップ等の光学特性を測定するものであり、任意な曲率を有するフレキシブル光学表示パネル２を保持することが可能な所定の曲率をもった保持部材１０と、保持部材１０を移動させるための保持部材１０と同一の曲率を有し、且つ保持部材１０を移動させるための台部材２０とからなり、台部材２０により保持部材１０が移動可能であり、フレキシブル光学表示パネル２のいずれの測定においても、測定位置を法線方向から測定可能にする。
【００１７】
保持部材１０は、所定の曲率の表面を有する板状であり、フレキシブル光学表示パネル２を所定の曲率の表面に保持可能である保持部１１と、保持部１１に形成された光学測定するための開口部１２と、保持部１１の両端に台部材２０に移動可能にするスライド部１３とを有する。  
【００１８】
保持部材１０は、厚さｔ、曲率半径Ｒを有し、保持部１１の曲率半径Ｒ側の凸表面にフレキシブル光学表示パネル２を固定する。フレキシブル光学表示パネル２の固定方法に関しては、フレキシブル光学表示パネル２の表示領域に影響を与えず、取扱い時にフレキシブル光学表示パネル２と保持部材１０の位置がずれないように固定する。
【００１９】
例えば、保持部材１０とフレキシブル光学表示パネル２にネジ穴を設けて締付手段により締付固定する方法やフレキシブル光学表示パネル２の外周部、もしくは曲げ方向の端部のみを金具やプラスチック板で固定する方法、または簡易に強力粘着テープで固定する方法などがある。この実施の形態では、強力粘着テープ１９により固定しているが、この発明における固定方法に関しては、これに限定されない。
【００２０】
保持部材１０は、保持部１１に１ないし複数の開口部１２を有し、この開口部１２の大きさ及び数は、フレキシブル光学表示パネル２の測定スポット径や測定箇所に準じるため、任意とする。
【００２１】
この台部材２０は、置くことを可能にする台部２１と、台部に形成された光学測定するための開口部２２と、台部２１に設けられた保持部材１０を移動可能にするガイド部２３とを有する。ガイド部２３には、保持部材１０の支持部１３を移動可能にするため保持部材１０と同一の曲率半径Ｒを持ち且つ保持部材１０のスライド部１３を可動するためのガイド溝部２４が形成されている。
【００２２】
台部材２０のガイド部２３は、保持部材１０の移動量を表示する目盛２５と、フレキシブル光学表示パネル２の測定位置を表示する測定印２６とを有する。目盛２５及び測定印２６は、ガイド部２３のガイド溝部２４に形成されているために保持部材１０は透明樹脂で成形される。また、目盛り２５と測定印２６をガイド部２３の側面にガイド溝部２４に沿って形成すれば、保持部材１０も透明樹脂に限定されない。このようにして、目盛２５及び測定印２６を外部から容易に目視可能になっている。
【００２３】
また、台部材２０は、フレキシブル光学表示パネル２を測定位置で固定させるために保持部材１０を締付ける締付部材２７を有する。締付部材２７は、締付ネジで形成され、図５（ａ）に示すように、ガイド部２３の上端からガイド溝部２４に位置する保持部材１０の表面側端面を締付けて固定する構造でも、図５（ｂ）に示すように、ガイド部２３の外側からガイド溝部２４に位置する保持部材１０の厚さ側端面を締付けて固定する構造でもよい。
【００２４】
台部材２０は、保持部材１０の大きさによってある程度決まるが、必ずしも保持部材１０の大きさに比例して大きく成形する必要はない。台部材２０には、保持部材１０を台部材２０に固定する締付部材２７を有しており、フレキシブル光学表示パネル２の測定位置で締付部材２７を締めることによって十分測定可能である。
【００２５】
測定印２６はガイド溝部２４の高さＤ１の最も低い位置Ｄ２であり、さらに曲面半径Ｒ上に一定の長さごとに印しをつけた目盛２５を有する。測定印２６とフレキシブル光学表示パネル２の測定したい箇所を一致させ、且つ保持部材１０を移動させることで、いずれの測定においても、測定位置を法線方向から測定可能にする。
【００２６】
また、目盛２５は、保持部材１０の移動量を表示し、目盛２５に基づいて保持部材１０を移動し、フレキシブル光学表示パネル２の測定位置を変化させることができる。この目盛２５を利用することで、繰り返し測定の再現性が向上する。
【００２７】
（フレキシブル光学測定用治具を用いた光学測定）
次に、フレキシブル光学測定用治具を用いた光学測定を、図６に基づいて説明する。図６はフレキシブル光学測定用治具と光学測定装置における測定位置関係を示す図である。
【００２８】
この光学測定装置５０は、発光部５１と受光部５２を備え、フレキシブル光学表示パネル２の製造工程において、フレキシブル光学表示パネル２の表示部の輝度、色度等の物理量を測定することで、表示部の光学特性を測定し、この光学特性の測定は発光部５１からの光をフレキシブル光学表示パネル２の表示部に照射し、受光部５２によって受光することで行う。
【００２９】
この光学測定装置５０を用いた測定時に、フレキシブル光学測定用治具１を光学測定装置５０の光線Ｓ上に、対向するガイド部２３の測定印２６を結ぶ線Ｋとフレキシブル光学表示パネル２の測定したい箇所が一致するようにセットする。この光学測定装置５０の光線Ｓと線Ｋの交点上にあるフレキシブル光学表示パネル２の位置は、フレキシブル光学表示パネル２の測定箇所を法線方向から測定した位置にあたる。この光学特性の測定は、フレキシブル光学測定用治具１の保持部材１０が台部材２０により移動することで、いずれの測定においても、測定位置を法線方向から測定可能にする。このフレキシブル光学表示パネル２の移動は、目盛２５に基づいて保持部材１０を移動し、フレキシブル光学表示パネル２の測定位置を変化させる。
【００３０】
図７の光学測定の概念図に示すように、この実施の形態では、フレキシブル光学測定用治具１を用いて光学測定装置５０により任意な曲率を有するフレキシブル光学表示パネル２の光学測定を行う。この光学測定装置５０では、フレキシブル光学表示パネル２の測定ポイントＡ１の法線方向を光学測定装置５０の光線Ｓと一致させて測定を行い（図７（ａ））、測定ポイントＡ１でのフレキシブル光学表示パネル２の厚さはＤ１で、光線Ｓと一致する法線方向での厚さである。そして、このフレキシブル光学表示パネル２の測定位置を変えるために、フレキシブル光学測定用治具１を用いてフレキシブル光学表示パネル２を移動して測定ポイントＡ２で測定すると（図７（ｂ））、この測定ポイントＡ２でもフレキシブル光学表示パネル２の法線方向と光学測定装置５０の光線Ｓは一致しており、フレキシブル光学表示パネル２の厚さはＤ１で、法線方向での厚さである。このように、フレキシブル光学表示パネル２の測定位置を変化させるいずれの測定においても測定ポイントでのフレキシブル光学表示パネル２の厚さは常にＤ１の法線方向での厚さであり、フレキシブル光学表示パネル２の測定箇所を法線方向から評価できる。
【００３１】
フレキシブル光学測定用治具１を用いない比較例では、フレキシブル光学表示パネル２の測定ポイントＡ２の法線方向を光学測定装置５０の光線Ｓと一致させずに測定を行うと（図７（ｃ））、測定ポイントＡ２でのフレキシブル光学表示パネル２の厚さはＤ１より長いＤ２となる。このように、比較例では、フレキシブル光学測定用治具１を用いないで測定を行うと、法線方向からズレた厚さで測定することになる。
【００３２】
このように、この実施の形態では、任意な曲率を有するフレキシブル光学表示パネル２の測定位置を変化させるいずれの測定においても、フレキシブル光学表示パネル２の法線方向から測定することになり、測定の焦点位置が異なり、測定スポット径が変化することや測定面に対して斜めから評価することがなく、正確な測定値が得られ、精度良くフレキシブル光学表示パネル２を評価できる。
【００３３】
例えば、電圧‐透過率測定では、フレキシブル光学表示パネル２に所定の電圧を印加させ、その時の輝度を測定する。フレキシブル光学表示パネル２に対して法線方向から測定しないと、フレキシブル光学表示パネル２を通る距離が長くなり、正確な輝度が得られない。  
【００３４】
また、例えば、セルギャップ測定では、ある所定の直線偏光をフレキシブル光学表示パネル２に当て、位相がどのように変わったかでセルのギャップを測定する。フレキシブル光学表示パネル２に対して法線方向から測定しないと、フレキシブル光学表示パネル２を通る距離が長くなり、正確な位相の変化を測定できない。
【００３５】
また、フレキシブル光学測定用治具１は、保持部材１０は一定の曲率を持っているため、フレキシブル光学表示パネル２を保持部材１０に沿わすだけで均一に曲げることが可能である。また、この保持部材１０は、耐熱性や耐湿性の高い材質を用いれば、フレキシブル光学表示パネル２を固定したまま信頼性試験に投入することができ、容易に曲面フレキシブル光学表示パネル２の特性を評価することができる。さらに、フレキシブル光学測定用治具１は、縦にも横にも設置可能であり、様々な光学測定装置に取り付けることができる。
【産業上の利用可能性】
【００３６】
この発明は、任意な曲率を有するフレキシブル光学表示パネルの光学特性を測定することができるフレキシブル光学測定用治具に適用可能であり、任意な曲率を有するフレキシブル光学表示パネルのいずれの測定位置においても、常に測定位置を法線方向から測定できる。
【符号の説明】
【００３７】
１  フレキシブル光学測定用治具
２  フレキシブル光学表示パネル
１０  保持部材  
１１  保持部
１２  開口部
１３  スライド部
２０  台部材
２１  台部
２２  開口部
２３  ガイド部
２４  ガイド溝部
２５  目盛
２６  測定印
２７  締付部材
【図１】
0005963263.tif 000002
【図２】
0005963263.tif 000003
【図３】
0005963263.tif 000004
【図４】
0005963263.tif 000005
【図５】
0005963263.tif 000006
【図６】
0005963263.tif 000007
【図７】
0005963263.tif 000008